(57)【特許請求の範囲】
【請求項１】
標準呼制御プロトコルが複数の加入者局をディジタル電気通信システムに接続するために使用される前記ディジタル電気通信システム内で簡易文字メッセージを搬送する方法であって、
前記複数の加入者局の第１加入者局において利用者情報と制御データとを含む前記簡易文字メッセージを作成するステップと、
前記標準呼制御プロトコルに従って、呼設定メッセージ内の利用者情報フィールド内へ前記簡易文字メッセージの前記利用者情報を挿入するステップと、
前記呼設定メッセージ内へ所定コードを挿入することによって、前記呼設定メッセージ内に簡易文字メッセージ制御データ・フィールドを作成するステップと、
前記呼設定メッセージ内の前記簡易文字メッセージ制御データ・フィールド内へ前記簡易文字メッセージの前記制御データを挿入するステップと、
前記複数の加入者局の前記第１加入局から前記ディジタル電気通信システムへ前記呼設定メッセージを搬送するステップと、を含み、
前記所定コードがロッキング・シフト情報フィールド内へ挿入される方法。
【請求項２】
請求項１記載の方法において、
前記標準呼制御プロトコルがＱ．９３１呼制御プロトコルを含む方法。
【請求項３】
請求項１記載の方法において、
前記ディジタル電気通信システムが公衆陸上移動体網を含む方法。
【請求項４】
請求項１記載の方法において、
前記ディジタル電気通信システムが総合サービス・ディジタル網を含む方法。
【請求項５】
請求項１記載の方法において、
前記所定コードがロッキング・シフト６コードを含む方法。
【請求項６】
請求項１記載の方法において、
前記複数の加入者局の前記第１加入者局が移動局を含む方法。
【請求項７】
請求項１記載の方法において、
前記複数の加入者局の前記第１加入者局が固定端末を含む方法。
【請求項８】
請求項２記載の方法において、
前記利用者情報フィールドが利用者−利用者情報要素を含む方法。
【請求項９】
請求項２記載の方法において、
前記簡易文字メッセージ制御データ・フィールドが簡易文字メッセージ制御情報要素を含む方法。
【請求項１０】
請求項２記載の方法において、
被呼者番号情報フィールドに被呼者番号を挿入するステップを更に含む方法。
【請求項１１】
請求項６記載の方法において、
前記搬送するステップが前記移動局から前記ディジタル電気通信システム内の移動体サービス交換センタへ前記呼設定メッセージを搬送するステップを含む方法。
【請求項１２】
ディジタル電気通信システムから加入者端末へ利用者情報と制御データとを含む簡易文字メッセージを搬送する方法であって、
呼設定メッセージ内の第１フィールド内へ所定コードを挿入することによって、前記呼設定メッセージ内に簡易文字メッセージ制御データ・フィールドを作成するステップと、
前記呼設定メッセージ内の前記簡易文字メッセージ制御データ・フィールド内へ前記簡易文字メッセージの前記制御データを挿入するステップと、
前記ディジタル電気通信システムから前記加入者端末へ前記呼設定メッセージを搬送するステップと、を含み、前記第１フィールドがロッキング・シフト情報フィールドを含む方法。
【請求項１３】
請求項１２記載の方法において、
標準呼制御プロトコルに従って、前記呼設定メッセージ内の利用者情報フィールド内へ前記簡易文字メッセージの前記利用者情報を挿入するステップを更に含む方法。
【請求項１４】
請求項１２記載の方法において、
前記ディジタル電気通信システムが公衆陸上移動体網を含む方法。
【請求項１５】
請求項１２記載の方法において、
前記ディジタル電気通信システムが総合ディジタル・サービス網を含む方法。
【請求項１６】
請求項１３記載の方法において、
前記標準呼制御プロトコルがＱ．９３１呼制御プロトコルを含む方法。
【請求項１７】
請求項１２記載の方法において、
前記所定コードがロッキング・シフト６コードを含む方法。
【請求項１８】
請求項１６記載の方法において、
発呼者番号情報フィールドに発呼者番号を挿入するステップを更に含む方法。
【請求項１９】
請求項１６記載の方法において、
簡易文字メッセージ制御情報要素フィールドに発呼者番号を挿入するステップを更に含む方法。
【請求項２０】
請求項１４記載の方法において、
前記搬送するステップが前記公衆陸上移動体網内の移動体サービス交換センタから移動加入者端末へ前記呼設定メッセージを搬送するステップを含む方法。
【請求項２１】
請求項１２記載の方法において、
前記加入者端末が固定端末を含む方法。
【請求項２２】
請求項１６記載の方法において、
前記利用者情報フィールドが利用者−利用者情報要素を含む方法。
【請求項２３】
請求項１６記載の方法において、
前記簡易文字メッセージ制御フィールドが簡易文字メッセージの前記制御情報要素を含む方法。
【請求項２４】
ディジタル電気通信システムと簡易文字メッセージ・サービス・センタとの間に利用者情報と制御データとを含む簡易文字メッセージを搬送する方法であって、
ＩＳＵＰプロトコルに従って、初期アドレス・メッセージのアクセス搬送フィールドに前記簡易文字メッセージの前記制御データを挿入するステップと、
前記ディシタル電気通信システムと前記簡易文字メッセージ・サービス・センタとの間に前記初期アドレス・メッセージを搬送するステップとを含む方法。
【請求項２５】
請求項２４記載の方法において、
前記ＩＳＵＰプロトコルに従って、初期アドレス・メッセージの利用者フィールド内へ前記簡易文字メセージの前記利用者情報を挿入するステップを更に含む方法。
【請求項２６】
請求項２４記載の方法において、
前記初期アドレス・メッセージの被呼者番号フィールドに前記簡易文字メッセージ・サービス・センタの識別情報を挿入するステップと、
前記初期アドレス・メッセージのアクセス搬送フィールドに前記簡易文字メッセージの発信者の識別情報を挿入するステップと、
前記ディジタル電気通信システムから前記簡易文字メッセージ・サービス・センタへ前記初期アドレス・メッセージを搬送するステップとを更に含む方法。
【請求項２７】
請求項２４記載の方法において、
前記初期アドレス・メッセージの被呼者番号フィールドに前記簡易文字メッセージ・サービス・センタの識別情報を挿入するステップと、
前記初期アドレス・メッセージの発呼者番号フィールドに前記簡易文字メッセージの発信者の識別情報を挿入するステップと、
前記ディジタル通信システムから前記簡易文字メッセージ・サービス・センタへ前記初期アドレス・メッセージを搬送するステップとを更に含む方法。
【請求項２８】
請求項２４記載の方法において、
前記初期アドレス・メッセージのアクセス搬送フィールドに前記簡易文字メッセージ・サービス・センタの識別情報を挿入するステップと、
前記初期アドレス・メッセージの被呼者番号フィールドに前記簡易文字メッセージの受け取り人の識別情報を挿入するステップと、
前記簡易文字メッセージ・サービス・センタから前記ディジタル通信システムへ前記初期アドレス・メッセージを搬送するステップとを更に含む方法。
【請求項２９】
請求項２４記載の方法において、
前記ディジタル通信システムが公衆陸上移動体網を含む方法。
【請求項３０】
請求項２４記載の方法において、
前記ディジタル電気通信システムが総合ディジタル・サービス網を含む方法。
【請求項３１】
請求項２９記載の方法において、
前記公衆陸上移動体網が移動体サービス交換センタを含む方法。
【請求項３２】
ディジタル電気通信システムから加入者端末へ応答テキスト情報と制御データとを含む応答簡易文字メッセージを搬送する方法であって、
ＩＳＵＰプロトコルに従って、解放メッセージのアクセス搬送フィールドに前記応答簡易文字メッセージの制御データを挿入するステップと、
簡易文字メッセージ・サービス・センタから回線交換網へ前記解放メッセージを搬送するステップと、
切断呼制御メッセージ内の第１フィールド内へ所定コードを挿入することによって、前記切断呼制御メッセージ内に簡易文字メッセージ制御データ・フィールドを作成するステップと、
前記切断呼制御メッセージ内の前記簡易文字メッセージ制御データ・フィールド内へ前記応答簡易文字メッセージの制御データを挿入するステップと、
前記回線交換網から前記加入者端末へ前記切断呼制御メッセージを搬送するステップとを含む方法。
【請求項３３】
請求項３２記載の方法において、
前記解放メッセージの利用者−利用者パラメータ内へ前記応答テキスト情報を挿入するステップと、
前記解放メッセージの前記利用者−利用者パラメータから前記切断呼制御メッセージの利用者−利用者情報要素へ前記応答テキスト情報を転送するステップとを更に含む方法。
【請求項３４】
加入者端末からディジタル電気通信システムへ応答テキスト情報と制御データとを含む応答簡易文字メッセージを搬送する方法であって、
解放完了呼制御メッセージ内の第１フィールド内へ所定コードを挿入することによって、前記解放完了呼制御メッセージ内に簡易文字メッセージ制御データ・フィールドを作成するステップと、
前記解放完了呼制御メッセージ内の前記簡易文字メッセージ制御データ・フィールド内へ前記応答簡易文字メッセージの前記制御データを挿入するステップと、
前記加入者端末から回線交換網へ前記解放完了呼制御メッセージを搬送するステップと、
ＩＳＵＰプロトコルに従って、解放メッセージのアクセス搬送フィールドへ前記応答簡易文字メッセージの前記制御データを転送するステップと、
前記回線交換網から簡易文字メッセージ・サービス・センタへ前記解放メッセージを搬送するステップとを含む方法。
【請求項３５】
請求項３４記載の方法において、
前記解放完了呼制御メッセージの利用者−利用者情報要素に解放テキスト情報を挿入するステップと、
前記解放完了呼制御メッセージの前記利用者−利用者情報要素から前記解放メッセージの利用者−利用者パラメータへ前記解放テキスト情報を転送するステップとを更に含む方法。
【請求項３６】
ディジタル電気通信システムと相互接続する能力を有する少なくとも２つの加入者端末間に簡易文字メッセージを搬送するに当たって使用される前記ディジタル電気通信システムであって、
利用者情報と制御データとを含む簡易文字メッセージを作成し、標準呼制御プロトコルに従って、前記呼設定メッセージ内の第１フィールド内へ所定コードを挿入することによって、前記呼設定メッセージ内に簡易文字メッセージ制御データ・フィールドを作成し、前記呼設定メッセージ内の前記簡易文字メッセージ制御データ・フィールド内へ前記簡易文字メッセージの前記制御データを挿入し、かつ前記ディジタル電気通信システムへ前記呼設定メッセージを搬送するように動作可能な前記少なくとも２つの加入者端末の第１加入者端末と、
前記少なくとも２つの加入者端末の前記第１加入者端末と相互接続されかつ前記呼設定メッセージを受信し、ＩＳＵＰプロトコルに従って、前記初期アドレス・メッセージのアクセス搬送フィールド内に前記呼設定メッセージから前記簡易文字メッセージの前記制御データを挿入し、かつ前記ディジタル電気通信システムから前記初期アドレス・メッセージを搬送するように動作可能な回線交換網と、
前記回線交換網に接続されかつ前記回線交換網から搬送された前記初期アドレス・メッセージを受信し、前記受信された初期アドレス・メッセージから前記制御データを抽出し、かつ前記少なくとも２つの加入者端末の第２加入者端末へ前記簡易文字メッセージを発送するように動作可能な簡易文字メッセージ・サービス・センタとを含むディジタル電気通信システム。
【請求項３７】
請求項３６記載のディジタル電気通信システムにおいて、
前記少なくとも２つの加入者端末の前記第１加入者端末が、前記標準呼制御プロトコルに従って、前記呼設定メッセージ内の利用者情報フィールド内へ前記簡易文字メッセージの前記利用者情報を挿入するように更に動作可能であるディジタル電気通信システム。
【請求項３８】
請求項３６記載のディジタル電気通信システムにおいて、
前記回線交換網が、前記ＩＳＵＰプロトコルに従って、前記呼設定メッセージから前記初期アドレス・メッセージの利用者フィールド内へ前記簡易文字メッセージの前記利用者情報を挿入するように更に動作可能であるディジタル電気通信システム。
【請求項３９】
請求項３６記載のディジタル電気通信システムにおいて、
前記ディジタル電気通信システムが公衆陸上移動体網を含むディジタル電気通信システム。
【請求項４０】
請求項３６記載のディジタル電気通信システムにおいて、
前記ディジタル電気通信システムが総合サービス・ディジタル網を含むディジタル電気通信システム。
【発明の詳細な説明】
発明の背景
発明の分野
本発明は、一般に電気通信分野に、かつ、特に、無線電気通信システム内の加入者への簡易文字テキスト・メッセージ（ｓｈｏｒｔ  ｔｅｘｔ  ｍｅｓｓａｇｅｓ）の搬送に関する。
関係技術の歴史
移動通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ；ＧＳＭ）は、欧州のいくつかの国に標準として導入されているディジタル移動体セルラ無線電話方式である。ＧＳＭによって維持される基本的電気通信サービスは、固定加入者と移動加入者との間の双方向音声通信、ＣＣＩＴＴグループ３ファクシミリ伝送、及び９．６ｋビット／ｓまでの速度での同期データ伝送及び非同期データ伝送を含む。
ＧＳＭによって維持される独特な電気通信サービスには、簡易文字メッセージ・サービス（Ｓｈｏｒｔ  Ｍｅｓｓａｇｅ  Ｓｅｒｖｉｃｅ；ＳＭＳ）がある。ＳＭＳは、ＧＳＭが移動局へ及びこれから信号チャネルを通じて各々１６０英数字長さまでの簡易文字テキスト・メッセージのために経路選択することを可能にする。もし簡易文字メッセージを指し向けられた移動局がサービス中でないか、又はカバレージ・エリアを去ってしまっているならば、そのメッセージは、簡易文字メッセージ・サービス・センタ（Ｓｈｏｒｔ  Ｍｅｓｓａｇｅ  Ｓｅｒｖｉｃｅ  Ｃｅｎｔｅｒ；ＳＭＳ−Ｃ）に記憶される。ＳＭＳ−Ｃは、移動局がサービスに復帰する又はカバレージ・エリアに再び入るとき、そのメッセージをこの移動局へ転送する。ＳＭＳは、さらにデータ網内の簡易文字メッセージ・サービス端末（Ｓｈｏｒｔ  Ｍｅｓｓａｇｅ  Ｓｅｒｖｉｃｅ  Ｔｅｒｍｉｎａｌ；ＳＭＴ）とＧＳＭ移動局との間に簡易文字メッセージを転送することができる。
ＧＳＭは、交換サブシステムと基地局サブシステムとに分割される。移動局からの呼は基地トランシーバ局によって受信され、基地トランシーバ局は基地局サブシステムの部分である。基地トランシーバ局は、地理的サービス・エリア内の個別セルを定義する。基地局サブシステム内の基地局コントローラがまた基地トランシーバ局の群（セル）を制御する。いくつもの基地局コントローラが或る１つの移動体サービス交換センタ（ｍｏｂｉｌｅ  ｓｅｒｖｉｃｅ  ｓｗｉｔｃｈｉｎｇ  ｃｅｎｔｅｒ；ＭＳＣ）によってサービスされ、ＭＳＣは交換サブシステムの部分を形成する。ＭＳＣは、公衆加入電話網（Ｐｕｂｌｉｃ  Ｓｗｉｔｃｈｅｄ  Ｔｅｌｅｐｈｏｎ  Ｎｅｔｗｏｒｋ；ＰＳＴＮ）、総合サービス・ディジタル網（ｉｎｔｅｇｒａｔｅｄ  Ｓｅｒｖｉｃｅｓ  Ｄｉｇｉｔａｌ  Ｎｅｔｗｏｒｋ；ＩＳＤＮ）、公衆陸上移動体網（Ｐｕｂｌｉｃ  Ｌａｎｄ  Ｍｏｂｉｌｅ  Ｎｅｔｗｏｒｋ；ＰＬＭＮ）、及び種々の公衆データ網及び私設データ網のような、他の電話及びデータ通信サービスへの及びこれらからの呼を制御する。
もし他の網（例えば、ＰＳＴＮ）内の利用者がＧＳＭ加入者を呼び出すならば、その呼がゲートウエーＭＳＣ（ＧＭＳＣ）に接続される。ＧＭＳＣは、交換サブシステム内のデータベースであるホーム・ロケーション・レジスタ（ｈｏｍｅ  ｌｏｃａｔｉｏｎ  ｒｅｇｉｓｔｅｒ；ＨＬＲ）に問い合わせることによって、ＧＳＭ加入者の位置を見付ける。ＨＬＲは、ＧＳＭ加入者の現在最も新しいＭＳＣエリア内のそのアドレスを提供する。ＧＳＭＣは、そのＭＳＣへ呼のために経路選択する。ＧＳＭ加入者の現在位置は、ビジタ・ロケーション・レジスタ（ｖｉｓｉｔｏｒ  ｌｏｃａｔｉｏｎ  ｒｅｇｉｓｔｅｒ；ＶＬＲ）内に、すなわち、そのＭＳＣエリア内に現在位置を検出された（ｌｏｃａｔｅｄ）ＧＳＭ加入者の全てに関する情報を含むデータベース内に維持される。もしＧＳＭ加入者が新ＭＳＣエリア内へ移動するならば、この新ＭＳＣと関連したＶＬＲは、ＨＬＲからのその加入者に関する情報を要求する。同時に、ＨＬＲは、加入者が在駐する新ＭＳＣに関して知らされる。
ＧＳＭでは、簡易文字メッセージは、移動体発信（ｍｏｂｉｌｅ  ｏｒｉｇｉｎａｔｅｄ）又は移動体着信（ｍｏｂｉｌｅｔｅｒｍｉｎａｔｅｄ）であってよい。移動体発信簡易文字メッセージ（ｍｏｂｉｌｅ  ｏｒｉｇｉｎａｔｅｄ  ｓｈｏｒｔ  ｍｅｓｓａｇｅ）は、移動体端末から基地トランシーバ局を経由して被訪問（ｖｉｓｉｔｅｄ）ＭＳＣへ提出される。被訪問ＭＳＣはそのメッセージを発信移動体端末（ｏｒｉｇｉｎａｔｉｎｇ  ｍｏｂｉｌｅ  ｔｅｒｍｉｎａｌ）によって与えられたＳＭＳ−Ｃへ発送する。ＳＭＳ−Ｃは、そのメッセージを、その宛先へ発送し、宛先はデータ網内の移動局又は端末であってよい。
移動体着信簡易文字メッセージ（ｍｏｂｉｌｅ  ｔｅｒｍｉｎａｔｅｄ  ｓｈｏｒｔ  ｍｅｓｓａｇｅ）は、利用者によって直接ＳＭＳ−Ｃへ提出される。ＳＭＳ−Ｃは、そのメッセージを簡易文字メッセージ・サービスゲートウエー移動体サービス交換センタ（ｓｈｏｒｔ  ｍｅｓｓａｇｅ  ｓｅｒｖｉｃｅ−ｇａｔｅｗａｙ  ｍｏｂｉｌｅ  ｓｗｉｔｃｈｉｎｇ  ｃｅｎｔｅｒ；ＳＭＳ−ＧＭＳＣ）へ発送する。ＳＭＳ−ＧＭＳＣは、情報を転送することについて関係ＨＬＲに問い合わせ、かつメッセージのために適当なＭＳＣへ再経路選択する。宛先移動局が呼び出されかつ接続がＭＳＣと移動局との間に設定（ｓｅｔ  ｕｐ）される。設定されると、ＭＳＣは、そのメッセージを信号チャネル（例えば、自立形専用制御チャネル、すなわち、ＳＤＣＣＨ）を経由して移動局へ発送する。もしメッセーが成功裡に配信されたならば、通知報告がＭＳＣから発信ＳＭＳ−Ｃへ送信される。もし成功裡に配信されなかったならば、ＨＬＲはその旨通知され、かつ故障報告がＭＳＣから発信ＳＭＳ−Ｃへ送信される。通知報告又は故障報告は、ＳＭＳ−Ｃがメッセージ発信者へ送信することができる。
利用者が簡易文字メッセージ内のテキストを受信しかつ送信するために、或る決まった簡易文字メッセージ制御データがＳＭＳ−Ｃに与えられる。この制御データは、メッセージ発信者が、いつ（例えば、午後４時に）、且つ如何に（例えば、ファクシミリによって）テキストが宛先へ送られることになっているかと一緒に、宛先加入者をＳＭＳ−Ｃに指定することを許す。ＧＳＭでは、ＳＭＳは、Ｑ．９３１メッセージ向き呼制御プロトコルと並行して、排他的ＳＭＳプロトコルを含むことによって具体化されている。
Ｑ．９３１呼制御インタフェース（ＣＣＩＴ勧告Ｉ．４５１とまた称される）は、信号パケット内へ入るものを指定し、かつメッセージ型式及びその内容を定義するプロトコルである。具体的に云えば、Ｑ．９３１呼制御インタフェースは、呼設定、呼取り下げ、被呼者番号情報、発呼者番号情報、伝達機能（例えば、音声又はデータ）、（プロトコル故障又は「話中」中継線のような異常事象からの回復に対する）状態検査、伝達チャネルの解放、及び誤り公示を規定する。Ｑ．９３１呼制御インタフェースは、ＣＣＩＴＴ  Ｎｏ．１ディジタル加入者信号方式（ＣＣＩＴＴ  Ｄｉｇｉｔａｌ  Ｓｕｂｓｃｒｉｂｅｒ  Ｓｉｇｎａｌｉｎｇ  Ｓｙｓｔｅｍ  Ｎｏ．１；Ｄ：ＳＳ１）利用者−網ＩＳＤＮインタフェースから導出される。
例えば、パーソナル・ディジタル・セルラ（Ｐｅｒｓｏｎａｌ  Ｄｉｇｉｔａｌ  Ｃｅｌｌｕｌａｒ；ＰＤＣ）方式（日本ディジタル・セルラ方式、すなわち、ＪＤＣとしてまた知られている）のような他のディジタル移動無線電話方式では、Ｑ．９３１呼制御インタフェースは使用されるように指定されているが、しかし並列ＳＭＳインタフェースが備わっていない。したがって、簡易文字メッセージは現存のＱ．９３１インタフェースを経由してこれらの網内で搬送することができるとは云っても、独特なＳＭＳインタフェースなしで簡易文字メッセージ制御データを搬送しようと企図するに当たって問題が起こる。
この問題に対する従来の解決は、簡易文字メッセージ・テキストと一緒にＱ．９３１利用者−利用者情報要素（Ｕｓｅｒ−Ｕｓｅｒ  Ｉｎｆｏｒｍａｔｉｏｎ  Ｅｌｅｍｅｎｔ；ＵＵＩＥ）フィールドに簡易文字メッセージ呼制御データを含むことである。しかしながら、この解決は他の問題を生じ、理由はＵＵＩＥに含まれる制御データが多いほど、メッセージ発信者によってＵＵＩＥに入力することができるテキストが少なくなり、かつＵＵＩＥは既に非常に限定された長さ（１２８オクテット）を有していることである。
他の問題がＭＳＣとＳＭＳ−Ｃとの間に簡易文字メッセージを送信しようと企図するに当たって起こる。従来技術は、網インタフェース信号ＰＤＣ移動体応用部（Ｍｏｂｉｌｅ  Ａｐｐｌｉｃａｔｉｏｎ  Ｐａｒｔ；ＭＡＰ）プロトコルを使用して簡易文字メッセージを送信することである。ＧＳＭ以外の方式では、受信ＳＭＳ−Ｃへ簡易文字メッセージを搬送するためにＭＡＰを使用することは、比較的非効率的であり、それゆえ問題になる。例えば、固定ＩＳＤＮ（及びＰＤＣオペレータ）は、Ｎｏ．７信号ベース（ｎｕｍｂｅｒ７  ｓｉｇｎａｌｉｎｇ  ｂａｓｅｄ）ＩＳＤＮ利用者部（ＩＳＤＮ  ｕｓｅｒ  ｐａｒｔ；ＩＳＵＰ）プロトコルを使用する。したがって、ＭＡＰプロトコルの使用は、固定ＩＳＤＮ（及びＰＤＣオペレータ）に、ＭＡＰプロトコルを導入しかつこれを既存のＩＳＵＰプロトコルの上にまた使用することを強制することにもなり、これが設計複雑性を著しく増しかつ少なくともかなりのソフトウェア費用を追加することにもなる。更に、多くのＳＭＳ−Ｃは音声メール・システム・センタと統合されており、かつこのような音声メール・システム・センタはＳＭＣと通信するためにＩＳＵＰプロトコルを使用するから、ＳＭＳ−ＣとＭＳＣとの間の通信に既存のＩＳＵＰプロトコルを使用することは、有利である。更に、ＭＳＣとＳＭＳ−Ｃとの間に解放命令を転送するためにＭＡＰプロトコルを使用することは、ＳＭＳ−ＣにＭＳＣへの接続を直ちに終了することを許さず、このことがその回線を不必要に長い時間間隔にわたって拘束する。
発明の要約
特殊簡易文字メセージ・サービス・インタフェースなしでディジタル電気通信システム内で簡易文字メッセージを搬送する方法及びディジタル電気通信システムを提供することが本発明の目的である。
簡易文字メッセージを記憶し及び発送するために使用されるハードウェア及びソフトウェアの設計複雑性を最少限にすることが本発明のまた目的である。
簡易文字メッセージがディジタル電気通信システム内の加入者間に搬送されつつある間の回線接続時間を最小限にすることが本発明の他の目的である。
本発明の１態様に従えば、前述の及び他の目的は、加入者端末で利用者情報及び制御データを含む簡易文字メッセージを作成し、かつ標準利用者−網インタフェース呼制御プロトコルに従って、呼設定メッセージ内のロッキング・シフト・フィールド内へ所定コードを挿入し、それによって呼設定メッセージ内に簡易文字メッセージ制御データ・フィールドを作成し、呼設定メッセージ内の簡易文字メッセージ制御データ・フィールド内へ簡易文字メッセージの制御データを挿入し、かつ加入者端末とシステムとの間に呼設定メッセージを転送することによって、加入者端末とディジタル電気通信システムとの間に簡易文字メッセージを搬送する方法及びディジタル電気通信システムによって達成される。
本発明の他の態様に従えば、前述の及び他の目的は、標準網−ノード・インタフェース呼制御プロトコルに従って、呼設定メッセージのアクセス搬送フィールド内に簡易文字メッセージの制御データを挿入し、かつディジタル電気通信システムと簡易文字メッセージ・サービス・センタとの間に呼設定メッセージを転送することによって、ディジタル電気通信システム内、及びディジタル電気通信システムと簡易文字メッセージ・サービス・センタとの間に、利用者情報と制御データとから成る簡易文字メッセージを搬送する方法及びディジタル電気通信システムによって達成される。
【図面の簡単な説明】
本発明の方法及び装置のより完全な理解が、添付の図面と関連して読むとき次の詳細な説明を参照することによって得られる。これらの図面の中で、
図１は、本発明の好適実施例に従って簡易文字メッセージを搬送する方法及び装置を示すディジタル・セルラ移動電気通信システムの最高水準ブロック図である。
図２は、本発明の好適実施例に従って、移動体発信簡易文字メッセージを設定しかつ送信するステップを示すシーケンス図である。
図３は、本発明の好適実施例に従って、移動体着信簡易文字メッセージを設定しかつ送信するステップを示すシーケンス図である。
図４Ａ〜Ｄは、本発明の好適実施例に従って、Ｑ．９３１呼制御設定メッセージ内の簡易文字メッセージ制御データを転送するために使用することができる模範的簡易文字メッセージ制御情報要素を示す線図である。
発明の詳細な説明
本発明の好適実施例及びその利点は、これらの図面の図１〜４を参照することによって最も良く理解され、同様の数字はこれらの種々の図面の同様のかつ対応する部品に対して使用される。
図１はディジタル・セルラ移動電気通信システムの最高水準ブロック図であって、本発明の好適実施例に従って簡易文字メッセージを搬送する方法及び装置を示す。図１に示された実施例は、ＰＤＣシステム型の構成内でいかに簡易文字メッセージのために経路選択することができるかを示す。しかしながら、示された実施例は解説目的のみのためであり、かつ本発明はそのように限定されることを意図していない。本質的に、下に更に詳細に説明するように、発明の概念は、呼制御インタフェースのＱ．９３１型式又はこれに類似の型式を使用するどれかの移動又は固定ディジタル電気通信システム内で簡易文字メッセージを搬送するために使用することができる。例えば、本発明は、北米ＰＣＳ１９００、欧州ＧＳＭ、又は固定ＩＳＤＮ方式で実現することがまたできる。
図１によって示されたセルラ通信システム１０は、データ通信線路１３によって簡易文字メッセージ・サービス・センタ（ＳＭＳ−Ｃ）１４に接続された簡易文字メッセージ端末（ｓｈｏｒｔ  ｍｅｓｓａｇｅ  ｔｅｒｍｉｎａｌ；ＳＭＴ）１２を含む。利用者はＳＭＴ１２を経由して簡易文字メッセージを発信又は受信することができ、ＳＭＴ１２は、例えば、ＰＳＴＮのようなデータ網内の複数のＳＭＴの１つであってよい。ＳＭＳ−Ｃ１４は、データ網とどれかのＰＬＭＮとの間の簡易文字メッセージ・インタフェース・ユニットとして機能する。この実施例で、図１によって示されたＰＬＭＮは、日本で運用されているＰＤＣ方式のバージョン（ｖｅｒｓｉｏｎ）である。ＳＭＳ−Ｃ１４は、データ通信線路１５によってゲートウエー移動体サービス交換センタ（ＧＭＳＣ）１６に接続される。ＳＭＳ−Ｃ１４は、簡易文字メッセージを記憶しかつこれをＳＭＴ１２へ及びこれから（かつまたＰＬＭＮ内の１つ以上の移動局へまたこれらから）発送する。ＳＭＳ−Ｃ１４は、ＳＭＳ−ＣのＧＳＭ型式又は類似に構成された型式のものであってよい。例えば、ＳＭＳ−Ｃ１４は、エリクソン（Ｅｒｉｃｓｓｏｎ）によって製造されたＭＸＥ記憶及び発送交換システムであってよい。これに代えて、簡易文字メッセージを記憶しかつ発送するために構成されたＧＭＳＣでＳＭＳ−Ｃ１４を置換してよい。それなりに、ＳＭＴ１２は、ＧＭＳＣ（例えば、ＧＭＳＣ１６）に直接接続されることになる。
ＧＭＳＣ１６は、信号網（例えば、Ｎｏ．７）１７によってホーム・ロケーション・レジスタ（ＨＬＲ）１８に接続される。ＨＬＲ１８は、（例えば、セルラ通信システム１０内の）ＰＬＭＮに関して登録された全ての加入者について個々の加入者データを記憶しかつ制御するためのデータ・ベースである。ＨＬＲ１８はまた、加入者移動局の各々の現在位置（すなわち、各移動局が現在在駐するＭＳＣ位置エリア）に関する情報を含む。移動体着信簡易文字メッセージに対して、ＧＳＭＣ１６は、呼び出され中の移動局の位置を判定しなければならない。ＧＭＳＣ１６はＨＬＲ１８に問い合わせ、ＨＬＭ１８は被呼移動局が現在在駐しているＭＳＣのアドレスで以て応答する。
移動体着信簡易文字メッセージに対して、ＨＬＲ１８は信号網１９を通じてＭＳＣ２０と通信し、かつＧＭＳＣ１６はＩＳＵＰプロトコルを使用してデータ通信線路２１を通じてＭＳＣ２０と通信する。しかしながら、移動体発信簡易文字メッセージに対しては、ＧＭＳＣ１６は発呼移動局の現在位置を判定する必要がないから、ＳＭＳ−Ｃ１４は、データ通信線路（ここでは明示されていない）によってＭＳＣ２０に直接接続することができる。
ＭＳＣ２０は、ゲート・ロケーション・レジスタ（ｇａｔｅ  ｌｏｃａｔｉｏｎ  ｒｅｇｉｓｔｅｒ；ＧＬＲ）２２を含み、このレジスタはＭＳＣ２０エリア内に現在位置検出された移動局の全てに関する情報を含むデータベースである。ビジタ・ロケーション・レジスタ（ＶＬＲ）でＧＬＲ２２を置換してよい。ＰＤＣ環境では、ＶＬＲ／ＭＳＣ組み合わせが被訪問ＭＳＣ（ＶＭＳＣ）と称される。移動局が新ＭＳＣエリア内へ移動ムするに連れて、そのＭＳＣに接続されたＧＬＲがその移動局に関するＨＬＲ１８からの情報を要求する。同時に、ＧＬＲは、その移動局の現在位置（例えば、移動局が現在在駐しているそのＭＳＣエリア）に関してＨＬＲ１８に知らせる。したがって、移動体着信簡易文字メッセージに対して、ＧＭＳＣ１６は、ＨＬＲ１８から、被呼移動局が現在在駐しているＭＳＣのアドレスを得る。ＧＭＳＣ１６は、簡易文字メッセージのために正しいＭＳＣへ再経路選択する。簡易文字メッセージがそのＭＳＣに到着すると、そのＭＳＣに関連したＧＬＲは何処にその移動局が位置検出されているか（例えば、どのセルか）知り、かつメッセージをその移動局へスイッチすることができる。
図１に示された実施例では、ＭＳＣ２０は、データ通信線路２３によって基地局２４に接続される。基地局２４は、ＭＳＣ２０に接続されるかつこれによって制御される複数の基地局の１つである。各基地局は、一組の無線チャネルの特定の１つで動作するセルを定義する。移動体着信簡易文字メッセージは、このような無線信号チャネルを通じて基地局２４から移動局２６へ伝送することができる。移動体発信簡易文字メッセージに対しては、そのメッセージは、同じ又は異なる無線信号チャネルを通じて移動局２６から基地局２４へ伝送することができる。
図２は、本発明の好適な実施例に従って、移動体発信簡易文字メッセージを設定するステップ及び送信するステップを示すシーケンス図である。一般に、好適な方法は、Ｑ．９３１呼制御設定メッセージ内へ新規簡易文字メッセージ制御データ情報要素（ｓｈｏｒｔ  ｍｅｓｓａｇｅ  ｃｏｎｔｒｏｌ  ｄａｔｅ  ｉｎｆｏｒｍａｔｉｏｎ  ｅｌｅｍｅｎｔ；ＳＭＣＩＥ）を導入するためにＱ．９３１ロッキング・シフト手順を使用し、この呼制御設定メッセージは移動局からＭＳＣへ、又はこの逆に送られる。ＳＭＣＩＥは簡易文字メッセージ制御データを含み、及びＱ．９３１ＵＵＩＥ（オプショナル）は簡易文字メッセージ・テキストを含むことができる。好適には、Ｑ．９３１ロッキング・シフト６（オペレータ特定）情報要素は、ＳＭＣＩＥを作成しかつ定義するために使用される。好適な方法はまた、ＳＭＳ−ＣとＭＳＣとの間に簡易文字メッセージ制御データを搬送するために新規なやり方でＩＳＵＰ初期アドレス・メッセージ（ｉｎｉｔｉａｌ  ａｄｄｒｅｓｓ  ｍｅｓｓａｇｅ；ＩＡＭ）内のアクセス搬送パラメータを使用する。
例えば、図１及び２を参照すると、移動局２６において利用者が簡易文字メッセージを相手へ（例えば、ＳＭＴ１２又は他の移動局へ）簡易文字メッセージを送信しようと望むとき、その利用者は、メニューにアクセスし、かつ相手の宛先アドレス、簡易文字メッセージ・センタ・アドレス（例えば、被呼者番号又はＳＭＳ−Ｃのアドレス）、有効期間（例えば、ＳＭＳ−Ｃがメッセージを破棄するまでの期間）、及び好適配信時間のような、或る簡易文字メッセージの制御データを選択することができる。好適には、利用者は、移動局内のメモリ位置内へ英数字をタイプする。
図２のステップ３０で、利用者が（例えば、「送信（ｓｅｎｄ）キー」を押すことによって）簡易文字メッセージを送信するように移動局２６に「命令（ｏｒｄｅｒ）」すると、移動局は、指定された簡易文字メッセージ・テキスト及び制御データをＱ．９３１呼制御設定メッセージに挿入しかつ送信する。移動局２６は、簡易文字メッセージ・テキストをＱ．９３１  ＵＵＩＥに、ＳＭＳ−ＣアドレスをＱ．９３１被呼者番号情報要素（ｃａｌｌｅｄ  ｐａｒｔｙ  ｎｕｍｂｅｒ  ｉｎｆｏｒｍａｔｉｏｎ  ｅｌｅｍｅｎｔ；ＣＰＮＩＥ）に、及び簡易文字メッセージの制御データの残りを（Ｑ．９３１呼制御設定ロッキング・シフト・コードセット６情報要素によって作成されかつ定義された）新ＳＭＣＩＥに挿入する。この実施例では、Ｑ．９３１プロトコルに従い、それであるから、ＳＭＣＩＥはロッキング・シフト６情報要素フィールドに先導され、このフィールドはＵＵＩＥフィールドによって先導される。しかしながら、本発明は、そのように限定されることは意図しておらず、これらのフィールドの実用上可能ないかなる順序であっても発明の概念の中に入る。
好適には、呼設定のために、移動局２６は、信号チャネルを要求するＭＳＣ２０へＱ．９３１呼制御設定メッセージをランダム・アクセス・チャネルを通じて送信する。Ｑ．９３１呼制御設定メッセージは、簡易文字メッセージ・テキスト情報及び制御データを含んでいて、基地局２４によって受信され、かつＭＳＣ２０に結合される。ステップ３０は、（進行中の呼が存在しない）空きモード中動作する移動局によって起動されることがある。もし、例えば、問い合わせ呼補助サービス（Ｅｎｑｕｉｒｙ  Ｃａｌｌ  Ｓｕｐｐｌｅｍｅｎｔａｒｙ  Ｓｅｒｖｉｃｅ）が活性化されているならば、ステップ３０は、現存する呼に対して既に確立された接続を用いて移動局によってまた起動される。その場合、簡易文字メッセージＱ．９３１呼設定は、現存する呼の参照と異なる呼参照を付けて転送され、かつ簡易文字メッセージ呼は別個の呼として取り扱われる。代替実施例では、簡易文字メッセージは、自立形専用制御チャネル  ＳＤＣＣＨ）、低速関連制御チャネル（ｓｌｏｗ  ａｓｓｏｃｉａｔｅｄ  ｃｈａｎｎｅｌ；ＳＡＣＣＨ）、又は非専チャネルのような、他のチャネルを通じて送信することができる。
図２のステップ３２で、ＭＳＣ２０は、Ｑ．９３１「呼続行（ｃａｌｌ  ｐｒｏｃｅｅｄｉｎｇ）」呼制御メッセージを移動局２６へ搬送する。このメッセージは、簡易文字メッセージが妥当性確認されかつＳＭＳ−Ｃ１４へ発送されるプロセス中であることを移動局に表示する。
好適な実施例では、Ｑ．９３１呼制御設定メッセージに挿入されたＳＭＣＩＥは、複数の８ビット・データ・フィールド（オクテット）を含む。例えば、ＳＭＣＩＥは、８ビットＳＭＣＩＥ識別子フィールド及び別個８ビットＳＭＣＩＥ長さ標識フィールドを含む。ＳＭＣＩＥはまた、ＳＭＣＩＥに含まれた簡易文字メッセージの制御データ要素（有効期間等）の各々毎に８ビット識別子フィールド及び別個８ビット長さ標識フィールドを含む。これらの識別子フィールド及び長さ標識フィールドは、ＭＳＣ２０（及び、最終的にＳＭＳ−Ｃ１４）がＳＭＣＩＥから簡易文字メッセージの制御データを効率的に抽出することを可能にする。ＳＭＣＩＥは簡易文字メッセージ・バージョン・データ・フィールドをまた含むことがあり、このフィールドは８ビット識別子フィールド及び８ビット長さ標識フィールドを含む。この簡易文字メッセージ・バージョン・データ・フィールドは、ＳＭＣＩＥのその後のフィールドに含まれることになる簡易文字メッセージの制御データの型式に関して受信ＳＭＳ−Ｃ（１４）に通知するために使用することができる。この特徴は、受信ＳＭＳ−Ｃが移動局の型式間を容易に区別することを許す利点がある（例えば、旧式移動端末は新端末とは異なった制御データを送信すると云ってよい）。ここに含むことができるＳＭＣＩＥフィールド及びデータ・フィールドの例を下に更に詳細に説明する。
ステップ３４で、ＭＳＣ２０は、簡易文字メッセージのテキスト及び制御データを含むＱ．９３１呼制御設定メッセージをＳＭＳ−Ｃ１４へ発送する。ＧＳＭでは、簡易文字メッセージは、標準網インタフェース信号ＧＳＭ移動応用部（ＭＡＰ）プロトコルを使用して、ＭＳＣから受信ＳＭＳ−Ｃへ搬送される。ＧＳＭ以外の方式では、簡易文字メッセージを受信ＳＭＳ−Ｃへ搬送するためにＭＡＰプロトコルを使用するのは、比較的非能率的であり、それゆえ問題がある。例えば、固定ＩＳＤＮは、Ｎｏ．７信号ベースＩＳＤＮ利用者部（ＩＳＵＰ）を使用する。したがって、ＭＡＰプロトコルの使用は、固定ＩＳＤＮに、新ＭＡＰを導入しかつこれを現存ＩＳＵＰプロトコルの上にまた使用することを強制することにもなる。なお更に、多くのＳＭＳ−Ｃが音声メール・システム・センタと統合されており、かつこのような音声メール・システム・センタはＭＳＣと通信するためにＩＳＵＰプロトコルを使用するから、既存のＩＳＵＰプロトコルをＳＭＳ−ＣとＭＳＣとの間の通信用に使用するのが有利である。この実施例では、この問題は、ＩＳＵＰを使用して、ＭＳＣから受信ＳＭＳ−Ｃへ簡易文字メッセージのテキスト及び制御データを搬送することによって解決される。
ステップ３４で、ＭＳＣ２０は、ＩＳＵＰインタフェース・プロトコルを使用して、簡易文字メッセージのテキスト及び制御データをＳＭＳ−Ｃ１４へ発送する。ＭＳＣ２０からのＩＳＵＰ初期アドレス・メッセージ（ｉｎｉｔｉａｌ  ａｄｄｒｅｓｓ  ｍｅｓｓａｇｅ；ＩＡＭ）は、移動局２６から受信された被呼者番号（宛先ＳＭＳ−Ｃのアドレス）データ及び発呼者（移動局）番号データを搬送する。ＭＳＣ２０は、Ｑ．９３１  ＵＵＩＥ内の移動局から受信された簡易文字メッセージのテキストデータを抽出し、かつそのテキストデータをＩＳＵＰ利用者−利用者サービス１明示パラメータ・フィールド内へ挿入する。ＩＳＵＰプロトコルは、Ｑ．９３１情報要素がＩＳＵＰアクセス搬送（ａｃｃｅｓｓ  ｔｒａｎｓｐｏｒｔ；ＡＴ）フィールド内で搬送されることを許す。ＭＳＣは、ロッキング・シフト６要素及びＭＳＣＩＥ簡易文字メッセージ制御データをＩＳＵＰ  ＡＴフィールド内へ挿入する。したがって、ＳＭＣＩＥデータをＭＳＣを通して「透明に（ｔｒａｎｓｐａｒｅｎｔｌｙ）」ＳＭＳ−Ｃへ転送することができる（すなわち、ＳＭＣＩＥデータ転送のなんら明示認識もＭＳＣによって要求されない）。
ステップ３６で、ＳＭＳ−Ｃ１４は、ＩＳＵＰ  ＩＭＡ内の受信された簡易文字メッセージのテキスト及び制御データを抽出しかつ分析する。分析の結果は、ＳＭＣＩＥ内の簡易文字メッセージ制御データとして返送される。ロッキング・シフト６要素及びＳＭＣＩＥは、ＩＳＵＰ解放（ｒｅｌｅａｓｅ；ＲＥＬ）メッセージのＡＴパラメータ内へパックされる。利用者オプションとして、ＳＭＳ−Ｃ１４は、適正に書式化されたメッセージに対して「グッドバイ（ｇｏｏｄｂｙ）」又は「メッセージ受信かつ処理済み（ｍｅｓｓａｇｅ  ｒｅｃｅｉｖｅｄａｎｄ  ｐｒｏｃｅｓｓｅｄ）」を宣言（ｓｔａｔｅ）することができるように、ＲＥＬメッセージのＩＳＵＰ利用者−利用者サービス１明示パラメータ内でオプショナル返送テキスト・メッセージ（ｒｅｔｕｒｎｔｅｘｔ  ｍｅｓｓａｇｅ）を送信することができる。ＳＭＳ−Ｃは（正規呼に関しては）アドレス完了（ａｄｄｒｅｓｓ  ｃｏｍｐｌｅｔｅ  ｍｅｓｓａｇｅ；ＡＣＭ）をＭＳＣ２０に返送し、かつＳＭＳ−Ｃは簡易文字メセージ・プロセスを完了する以後はＭＳＣへの接続を解放することになる。特に、ＡＣＭの後に接続を解放すること（ＲＥＬ）の重要な技術的利点は、可能な限り回線保持時間を最少にすることである。
ステップ３８で、ＭＳＣ２０は、ＳＭＳ−Ｃから受信したオプショナル利用者−利用者テキスト・メッセージをＱ．９３１  ＵＵＩＥ内へ挿入することができる。ＡＴパラメータ内でＳＭＳ−Ｃから受信されたオプショナルＵＵＩＥ及びロッキング・シフト６要素及びＳＭＣＩＥは、標準Ｑ．９３１呼制御切断メッセージ内で（基地局２４を経由して）移動局２６へ転送される。これが、移動局と網との間のリンクの解放を始めさせる。
移動加入者への簡易文字メッセージは、固定端子からＳＭＳ−Ｃへ提出することがまたできる。例えば、図１を参照すると、ＳＭＴ１２における利用者が簡易文字メッセージを移動局（２６）へ送信しようと望むとき、利用者は、メニューにアクセスし、かつ移動局の番号（被呼者番号、すなわち、ＣＰＮ）、有効期間、及び好適配信時刻のような、簡易文字メッセージの制御データを選択することができる。利用者は、簡易文字メッセージのテキストにタイプすることがまたできる。簡易文字メッセージのテキストは、種々の情報源（例えば、タイプされた英数字、音声、ファクシミリ、テレックス）によって入力することができる。簡易文字メッセージのテキスト及び選択された制御データは、データ線路１３を経由してＳＭＳ−Ｃ１４へ転送される。
図３は、本発明の好適な実施例に従って、移動体着信簡易文字メッセージを設定するステップ及び送信するステップを示すシーケンス図である。やはり、好適な方法は、簡易文字メッセージ制御データ情報要素、すなわち、ＳＭＣＩＥをＱ．９３１呼制御設定メッセージ内へ導入するためにＱ．９３１ロッキング・シフト手順を使用する。しかしながら、移動体着信簡易文字メッセージに対しては、ＳＭＣＩＥは、ＭＳＣから移動局へ送信される。上に説明した移動体発信簡易文字メッセージ方法と同じように、移動体着信簡易文字メッセージ用ＳＭＣＩＥは簡易文字メッセージの制御データを含み、及びＱ．９３１  ＵＵＩＥは簡易文字メッセージのテキストを含むことができる。好適には、Ｑ．９３１ロッキング・シフト６（オペレータ特定）情報要素フィールドがＳＭＣＩＥを作成しかつ定義するために使用される。
所定配信時刻（又はもし簡易文字メッセージを配信することができないならば、その後の時刻）に、ＳＭＳ−Ｃ１４が簡易文字メッセージを宛先移動局（２６）へ配信することを企図する。図３のステップ４０で、ＳＭＳ−Ｃ１４は、専用回線をＭＳＣ２０に配分し、かつＩＳＵＰ  ＩＡＭを使用して簡易文字メッセージをＭＳＣへ搬送する。ＩＳＵＰ  ＩＡＭは、発呼者カテゴリ（ｃａｌｌｉｎｇｐａｒｔｙ  ｃａｔｅｇｏｒｙ；ＣＰＣ）データを含むことができ、このデータは着信メッセージがＳＭＳ−ＣからであることをＭＳＣ２０に表示するために使用される。したがって、ＭＳＣは、もしその機能が宛先移動局（２６）によって活性化されているならば、簡易文字メッセージが呼転送されていないことを保証することができる。また、ＭＳＣは、ＣＰＣをＨＬＲ１８へ発送することができ、これがＨＬＲに宛先移動局が簡易文字メッセージを受信する能力を有する（すなわち、ＳＭＳ加入者である）どうか判定することを許す。もし能力を有さないならば、メッセージを終端させることができる。
ＩＳＵＰ  ＩＡＭはまた、ＣＰＮ（アドレス指定された移動局番号）及び発呼者番号（ｃａｌｌｉｎｇ  ｐａｒｔｙ  ｎｕｍｂｅｒ；ＣＬＮ）を含み、ＣＬＮは、この実施例では、発信ＳＭＳ−Ｃ（１４）のアドレスを含む。ＩＳＵＰ利用者−利用者サービス１明示パラメータ・フィールドが簡易文字メッセージのテキストを含むことができる。ＩＳＵＰ  ＡＴメッセージがロッキング・シフト６要素及びＳＭＣＩＥを含む。ＳＭＩＣＥは、立ち代わって、簡易文字メッセージの制御データ（例えば、有効期間、メッセージが送られた時刻等）を含む。もしＩＳＵＰ  ＩＡＭ内のフィールドが適正に書式化されているとＭＳＣが判定するならば、ＭＳＣは、ＡＣＭ（例えば、「情報オーケー（ｉｎｆｏｒｍａｔｉｏｎ  ＯＫ）」を発信ＳＭＳ−Ｃへ送信する。
ステップ４２で、（宛先移動局が在駐する受信ＭＳＣであるとＧＭＳＣ１６によって既に判定された）ＭＳＣ２０が基地局（２４）と宛先移動局（２６）との間の初期リンクを確立するために標準呼び出し及び確認手順を使用する。例えば、ＭＳＣ２０は、基地局２６に宛先移動局が最も新しく接触を取った特定位置エリアに呼出しを送信するように命令する。移動局２６は、基地局によって定義された特定セルへ着信条件報告を送信することによって呼出しに応答する。この報告はＭＳＣへ渡され、ＭＳＣは、それゆえ、移動局がそれ内で応答したセルの識別情報（ｉｄｅｎｔｉｔｙ）を判定することができる。ＭＳＣ２０は、移動局（２６）の確認を遂行し、トラフィック・チャネルを配分し、かつ配分されたトラフィック・チャネルへスイッチするように移動局に命令する。更に、信号がこのトラフィック・チャネル上の信号リンク上で達成される。
ステップ４４で、いつたん信号チャネル・リンクが確立されたところで、ＭＳＣ２０は、Ｑ．９３１呼制御設定メッセージを（基地局２４を経由して）移動局２６へ送信する。呼制御設定メッセージは、ＣＬＮ情報要素フィールド内のＳＭＳ−Ｃ１４のアドレスと一緒に、（ＭＳＣで挿入された）Ｑ．９３１  ＵＵＩＥフィールド内の簡易文字メッセージのテキストを含む。ＭＳＣ２０は、着信（ｉｎｃｏｍｉｎｇ）ＩＡＭのＡＴパラメータからロッキング・シフト６情報要素及びＳＭＣＩＥを抽出し、かつこれを設定メッセージに含む。ＳＭＣＩＥを作成するためにロッキング・シフト６情報要素を使用して、ＭＳＣ２０は、ＳＭＣＩＥフィールドに簡易文字メッセージの制御データを挿入しかつ転送する。
ステップ４６で、Ｑ．９３１呼制御設定メッセージを経由して簡易文字メッセージを受信したならば、移動局２６は、これが簡易文字メッセージであって、音声呼ではないことを、設定メッセージ内のＳＭＣＩＥの存在によって、直ちに認識する。したがって、移動局はＱ．９３１解放完了（ｒｅｌｅａｓｅ  ｃｏｍｐｌｅｔｅ；ＲＥＬ  ＣＯＭＰ）呼制御メッセージをＭＳＣ２０へ送信し、このＭＳＣは移動局２６と基地局２４との間のリンクを直ちに終了させる。解放メッセージは、原（ｏｒｉｇｉｎａｌ）簡易文字メッセージ・テキスト情報に対する応答として（ＲＥＬ  ＣＯＭＰメッセージのＱ．９３１  ＵＵＩＥ内に）オプショナル・テキスト・メッセージを含むことができる。例えば、この解放メッセージは、「メッセージ受信済み」を宣言することもできる。又は、解放メッセージは、例えば、販売機内に残っている飲料のかん又はびんの数で以て応答する販売機からであることもできる。移動局は、ＲＥＬ  ＣＯＭＰメッセージ内にロッキング・シフト６要素及びＳＭＣＩＥを挿入することがまたでき、このメッセージ内でＳＭＣＩＥは原簡易文字メッセージの配信の結果（例えば、「メッセージ受信済み」又は「メモリ満杯」についての情報を含む。解放メッセージに対する制御データが、好適には、ＳＭＣＩＥフィールドに含まれる。
ステップ４８で、ＭＳＣ２０は、ＩＳＵＰ  ＲＥＬメッセージ内の返送されたロッキング・シフト６要素及びＳＭＣＩＥ、及びオプショナル返送された利用者テキスト・メッセージをＳＭＳ−Ｃ１４へ送信する。ロッキング・シフト６要素及びＳＭＣＩＥはＲＥＬメッセージのＡＴパラメータ内で搬送され、及びオプショナル返送された利用者テキスト・メッセージはＵＵＩＥパラメータに含まれる。それゆえ、簡易文字メッセージの制御データがＩＳＵＰ  ＡＴパラメータに含まれる。それによって、ＳＭＳ−Ｃは、メッセージ配信の結果に関して知らされる。ＲＥＬメッセージは、ＭＳＣ２０からＳＭＳ−Ｃ１４への接続を解放する。
もしＳＭＳ−Ｃ１４が簡易文字メッセージを配信することを企図するとき宛先移動局が使用中であるか又はこれに到達可能でないならば、ＭＳＣ２０は、「原因（ｃａｕｓｅ）」コードと一緒に（ＩＳＵＰ  ＲＥＬメッセージを使用して）解放メッセージをＳＭＳ−Ｃへ送信する。原因コードは、なぜ簡易文字メッセージを配信することができなかったかの理由を識別する。発信ＳＭＳ−Ｃ（１４）は、このメッセージを記憶しかつそれを他の時刻に配信することを企図する。もし宛先加入者が標準補助「呼待機」サービスを活性化したならば、たとえその移動局が使用中であっても、他の呼参照を付けた並列第２呼を確立することによって、移動体着信簡易文字メッセージをＭＳＣ２０からその移動局へ転送することができる。
図４Ａ〜Ｄは、本発明の好適実施例に従って、Ｑ．９３１呼制御設定メッセージ内の簡易文字メッセージの制御データを転送するために使用することができる模範的ＳＭＣＩＥを示す関係図である。図４Ａ〜Ｄを参照すると、図解のＭＳＣＩＥは、複数の８ビット（オクテット）データ・フィールドを含む。第１データ・フィールド（オクテット１）は、ロッキング・シフト６コードセットを含む（図４Ａ）。ロッキング・シフト・フィールドは、図解目的のためにのみ、ＳＭＣＩＥ内の第１フィールドとしてこの図に示されている。好適には、ロッキング・シフト・フィールドは、ＳＭＣＩＥに先行する個別要素である。図解中の第２フィールドはＳＭＣＩＥ識別子を含み、及び第３フィールドはＳＭＣＩＥの長さを含む。第４フィールドは簡易文字メッセージ・バージョンを含み、これは使用される端末の型式及び搬送される制御データを判定するために使用することができる。第４フィールドはまた、例えば、移動局からＳＭＳ−Ｃへの簡易文字メッセージ提出、又はＳＭＳ−Ｃから移動局への簡易文字メッセージ配信のような簡易文字メッセージ・サービス要求を含む。
図解のＳＭＣＩＥ内の第５データ・フィールドは、（簡易文字メッセージ）発信アドレス識別子を含む。このフィールドはまた、発信アドレス情報要素の長さ、アドレス内の数字の数が奇数か又は偶数か、発信アドレス用に与えられた番号の型式（加入者番号、国際番号等）、番号計画識別（ＩＳＤＮ／電話番号計画、テレックス番号計画等）、及びアドレス数字（番号の英数字又は２進化１０進コード（ＢＣＤ）型式）に関するデータを含む。
ＳＭＣＩＥ内の第６データ・フィールドは、ＳＭＳ−Ｃタイム・スタンプ・データ（配信日、時、分）を含む。第７データ・フィールドは、発信ＳＭＳ−Ｃにおいて移動局によって設定されたメッセージ参照データ（０から２５５までの巡回簡易文字メッセージ番号）を含む。第８データ・フィールド（図４Ｂ）は、（ＳＭＳ−Ｃタイム・スタンプ・データに類似してコードされた）据え置き時間配信データ（ｄｅｆｅｒｒｅｄ  ｔｉｍｅ  ｄｅｌｉｖｅｒｙ  ｄａｔａ）を含む。第９データ・フィールドは、（ＳＭＳ−Ｃタイム・スタンプ・データに類似してまたコードされた）有効期間データを含む。
図解のＳＭＣＩＥ内の第１０データ・フィールドは、例えば、移動局又はＳＭＴによって受信された簡易文字メッセージ、一時的誤り１（ＳＭＳ−Ｃがなおメッセージを配信することを企図する）、永久誤り（配信できない宛先等）、及び一時的誤り２（ＳＭＳ−Ｃがもはやメッセージを配信することを企図しない）のような、メッセージ状態データを含む。第１１データ・フィールドは、例えば、標準メッセージ、グループ３ファクシミリ、エックス４００のような、使用されたメッセージ・プロトコルを含む。
第１２データ・フィールド（図４Ｃ）は、（発信アドレスに類似してコードされた）宛先アドレスを含む。第１３データ・フィールドは、メッセージ通知要求（通知報告を要求された／要求されなかった）及び優先度（正規又は高優先度）を含む。第１４データ・フィールドは、メッセージ受信時刻（宛先で受信された時刻）を含み、メッセージ受信時刻はＳＭＳ−Ｃタイム・スタンプ・データと類似してコードされる。第１５データ・フィールドは、（発信アドレスと類似してコードされた）発信ＳＭＳ−Ｃアドレスを含む。第１６データ・フィールドは、メッセージ配信企図の結果（オーケ、ノット・オーケ）を含む。
本発明の方法及びディジタル電気通信システムの好適な実施例が添付図面に示されかつ前掲の詳細な説明に述べられたが、云うまでもなく本発明は開示された実施例に限定されるのではなく、次の請求の範囲に記載されかつ画定された発明の精神に反することなく多数の再構成、変形、及び置換を行うことができる。
【図１】
0003885894.tif 000002
【図２】
0003885894.tif 000003
【図３】
0003885894.tif 000004
【図４Ｄ】
0003885894.tif 000005
【図４Ａ】
0003885894.tif 000006
【図４Ｂ】
0003885894.tif 000007
【図４Ｃ】
0003885894.tif 000008